(57)【要約】      （修正有）【課題】操作部を着脱が容易で任意の位置に設置可能な冷蔵庫を提供する。【解決手段】扉の外周一端面に開口する制御基板挿入用凹部１５と、制御基板挿入用凹部に挿入した基板ホルダー１６と、基板ホルダーに保持させ静電スイッチ３７を設けた操作基板ユニット１７とを備え、基板ホルダー１６は基板保持部とこれの端部に連設したホルダー取付け片部とからなり、かつ、前記基板保持部に操作基板ユニットを保持するとともに、当該操作基板ユニットの静電スイッチが扉のガラス板内面に接する如くホルダー取付け片部の端部を制御基板挿入用凹部の開口縁部で固定した構成としてある。これにより、基板ホルダーはホルダー取付け片部の端部を持ってガラス面に邪魔されることなく制御基板挿入用凹部に挿入でき、容易に着脱できる。しかも操作部を扉の任意の位置に設けることができ、設計の自由度が向上する。【選択図】図４
2016166694.tif 000002
【特許請求の範囲】
【請求項１】
貯蔵室を有する冷蔵庫本体と、前記冷蔵庫本体の貯蔵室開口を開閉するガラス扉と、前記カラス扉に設けた操作部とを備え、前記操作部は、前記ガラス扉の外周一端面に開口する制御基板挿入用凹部と、前記制御基板挿入用凹部に挿入した基板ホルダーと、前記基板ホルダーに保持させた静電スイッチ付の操作基板ユニットとで構成し、前記基板ホルダーは基板保持部とこの基板保持部の端部に傾斜もしくは段差を持たせて連設したホルダー取付け片部とを備え、かつ、前記基板保持部に前記操作基板ユニットを保持させるとともに、当該操作基板ユニットの静電スイッチがガラス扉のガラス内面に接する如く前記ホルダー取付け片部の端部を前記制御基板挿入用凹部の開口縁部で固定した冷蔵庫。
【請求項２】
基板ホルダーの基板保持部両端近傍或いはこれと対向する部分の制御基板挿入用凹部のいずれかに前記基板保持部をガラス扉のガラス板内面側に附勢して当該基板保持部に保持した操作基板ユニットの静電スイッチをガラス扉のガラス板内面に圧接させる構成とした請求項１記載の冷蔵庫。
【請求項３】
基板ホルダーの先端部にはその側面部にホルダー側傾斜部を設けるとともに制御基板挿入用凹部にもこれと対応する凹部側傾斜部を設けた請求項１又は２に記載の冷蔵庫。
【請求項４】
基板ホルダーの先端とは反対側の操作基板ユニットの端部近傍或いはこれと対向する制御基板挿入用凹部の少なくともいずれか一方にも側方方向の位置決めを行う位置決め部を更に設けた請求項１〜３のいずれか１項に記載の冷蔵庫。
【請求項５】
位置決め部は基板ホルダーの操作基板ユニットを保持する基板保持部の端部付近に設けた附勢部を利用して形成した請求項４記載の冷蔵庫。
【請求項６】
制御基板挿入用凹部の開口はガラス扉の上端面に設け、この開口から制御基板挿入用凹部を垂設して操作基板ユニットを上下配置とした請求項１〜５のいずれか１項に記載の冷蔵庫。
【発明の詳細な説明】
【技術分野】
【０００１】
本発明は冷蔵庫に関し、特にその操作部の設置構成に関するものである。
【背景技術】
【０００２】
一般に冷蔵庫は冷却温度等を設定する操作部が扉の前面に設けてある（例えば、特許文献１参照）。
【０００３】
図１２、図１３は上記特許文献１に記載された冷蔵庫を示し、この冷蔵庫は扉１０１の前面に操作表示部１０２を設け、この操作表示部１０２にスイッチ操作部１０３と表示部１０４とが設けてある。そして、スイッチ操作部１０３のスイッチ１０５は静電スイッチで構成し、静電スイッチ１０５の前面を覆う扉ガラス１０６にタッチすることによって設定入力ができるようになっている。
【０００４】
上記静電スイッチ１０５はその表面を覆う扉ガラス１０６との間の間隔が大きくなると感度が低下する。そのため、この特許文献１記載のものでは図８に示すように前記静電スイッチ１０５を組み込んだスイッチ基板１０７をスイッチケース１０８に収容し、このスイッチケース１０８に弾性突起１０９を設け、この弾性突起１０９を扉１０１の操作部装着凹部１１０の底面壁１１１に弾接させて矢印Ｑで示すように前記スイッチ基板１０７を扉ガラス１０６に押し付け構成してある。
【０００５】
これにより、スイッチ基板１０７の静電スイッチ１０５は扉ガラス１０６の内面に密接し、感度が確保されて操作ミスを引き起こすことなく確実なスイッチ操作ができる。
【先行技術文献】
【特許文献】
【０００６】
【特許文献１】特開２０１２−７８０８６号公報
【発明の概要】
【発明が解決しようとする課題】
【０００７】
しかしながら、上記従来の操作表示部は、スイッチ基板１０７を収容したスイッチケース１０８全体を操作部装着用凹部１１０内に挿入するようになっているため、スイッチケース１０８の最終端部Ｘを操作部装着用凹部１１０内に挿入する際、最終端部Ｘを指の先で狭い操作部装着用凹部１１０内に押し込む必要がある。
【０００８】
また、スイッチ基板１０７の交換等でスイッチケース１０８を取り出す時には、狭い操作部装着用凹部１１０内に指を入れて弾性突起１０９の弾発力に抗しつつスイッチケース１０８を引き出す必要がある。
【０００９】
このため、スイッチケース１０８、すなわちスイッチ基板１０７の着脱が非常に困難で、作業性が悪いという課題があった。
【００１０】
また、上記スイッチ基板１０７はその長手方向全域にわたってスイッチ操作部１０３と表示部１０４が設けてあるため、当該スイッチ操作部１０３及び表示部１０４は扉１０１の端面近傍にしか設けることができない。
【００１１】
したがって、例えば図１２の破線で示すように幅広側の扉１０１−１の左右略中央部分や開放端側上下略中央部分にスイッチ操作部１０３や表示部１０４を設置することができ
ず、設置上の制約を受ける、という課題もあった。
【００１２】
本発明はこのような点に鑑みてなしたもので、操作部の着脱が容易で、かつ、任意の位置に操作部を設置可能な冷蔵庫の提供を目的としたものである。
【課題を解決するための手段】
【００１３】
本発明は上記目的を達成するため、冷蔵庫本体のガラス扉に操作部を設け、この操作部は、前記ガラス扉の外周一端面に開口する制御基板挿入用凹部と、前記制御基板挿入用凹部に挿入した基板ホルダーと、前記基板ホルダーに保持させた静電スイッチ付の操作基板ユニットとで構成し、前記基板ホルダーは基板保持部とこの基板保持部の端部に傾斜もしくは段差を持たせて連設したホルダー取付け片部を備え、かつ、前記基板保持部に前記操作基板ユニットを保持させるとともに、当該操作基板ユニットの静電スイッチがガラス扉のガラス板内面に接する如く前記ホルダー取付け片部の端部を前記制御基板挿入用凹部の開口縁部で固定した構成としてある。
【００１４】
これにより、基板ホルダーは基板保持部に連なるホルダー取付け片部の端部を持って制御基板挿入用凹部内に出し入れできる。しかもホルダー取付け片部はガラス扉の内面に沿う基板保持部に対して傾斜もしくは段差を持っているのでガラス扉との間に隙間が生じ、ガラス板内面が邪魔になることなく基板保持部を制御基板挿入用凹部に挿入できる。更にこのホルダー取付け片部の端部は制御基板挿入用凹部内でなくその開口縁部で固定しているので制御基板挿入用凹部内に指などを入れることなく外部から取り付け取り外しを行うことができる。
【００１５】
したがって、基板ホルダーの着脱、換言すると、基板ホルダーに保持した操作基板ユニットの着脱が容易に行えるようになる。
【００１６】
また、前記基板ホルダーの基板保持部はホルダー取付け片部の端部に延設してあるので、基板保持部に保持する操作基板ユニットはガラス扉外周端面からホルダー取付け片部の寸法分だけ離れたところに位置させることができる。
【００１７】
したがって、操作基板ユニットすなわちこれに設けた静電スイッチ等はホルダー取付け片部の長さを変えることによってガラス扉の任意の位置に設けることが可能となり、設計の自由度が向上する。
【発明の効果】
【００１８】
本発明は、上記構成によって操作基板ユニットの着脱が容易に行え、しかも操作部を扉の任意位置に設置できる冷蔵庫を提供することができる。
【図面の簡単な説明】
【００１９】
【図１】本発明の実施の形態１における冷蔵庫の正面図
【図２】同冷蔵庫の縦断面図
【図３】同冷蔵庫の扉の分解斜視図
【図４】同冷蔵庫の扉に設けた操作表示部の決裁斜視図
【図５】同冷蔵庫の扉に設けた操作表示部の基板ホルダー着脱時の断面図
【図６】同冷蔵庫の扉に設けた操作表示部の蓋板を外した状態の斜視図
【図７】同冷蔵庫の扉に設けた操作表示部を示す図６のＡ−Ａ断面図
【図８】同冷蔵庫の扉に設けた操作表示部の断面図
【図９】同冷蔵庫の扉に設けた操作表示部の基板ホルダーを裏側から見た斜視図
【図１０】同冷蔵庫の扉に設けた操作表示部の分解斜視図
【図１１】同冷蔵庫の扉に設けた操作表示部の凹状ケースを示す断面図
【図１２】従来の冷蔵庫を示す正面図
【図１３】同従来の冷蔵庫の操作部を示す拡大断面図
【発明を実施するための形態】
【００２０】
第１の発明は、貯蔵室を有する冷蔵庫本体と、前記冷蔵庫本体の貯蔵室開口を開閉するガラス扉と、前記カラス扉に設けた操作部とを備え、前記操作部は、前記ガラス扉の外周一端面に開口する制御基板挿入用凹部と、前記制御基板挿入用凹部に挿入した基板ホルダーと、前記基板ホルダーに保持させた静電スイッチ付の操作基板ユニットとで構成し、前記基板ホルダーは基板保持部とこの基板保持部の端部に傾斜もしくは段差を持たせて連設したホルダー取付け片部とを備え、かつ、前記基板保持部に前記操作基板ユニットを保持させるとともに、当該操作基板ユニットの静電スイッチがガラス扉のガラス内面に接する如く前記ホルダー取付け片部の端部を前記制御基板挿入用凹部の開口縁部で固定した構成としてある。
【００２１】
これにより、基板ホルダーは基板保持部に連なるホルダー取付け片部の端部を持って制御基板挿入用凹部内に出し入れできる。しかもホルダー取付け片部はガラス扉の内面に沿う基板保持部に対して傾斜もしくは段差を持っているのでガラス扉との間に隙間が生じガラス板内面が邪魔になることなく基板保持部を制御基板挿入用凹部に挿入できる。更にこのホルダー取付け片部の端部は制御基板挿入用凹部内でなくその開口縁部で固定しているので制御基板挿入用凹部内に指などを入れることなく外部から取り付け取り外しを行うことができる。
【００２２】
したがって、基板ホルダーの着脱、換言すると、基板ホルダーに保持した操作基板ユニットの着脱が容易に行えるようになる。
【００２３】
また、前記基板ホルダーの基板保持部はホルダー取付け片部の端部に延設してあるので、基板保持部に保持する操作基板ユニットはガラス扉外周端面からホルダー取付け片部の寸法分だけ離れたところに位置させることができる。
【００２４】
したがって、操作基板ユニットすなわちこれに設けた静電スイッチ等はホルダー取付け片部の長さを変えることによってガラス扉の任意の位置に設けることが可能となり、設計の自由度が向上する。
【００２５】
第２の発明は、第１の発明において、前記基板ホルダーの基板保持部両端近傍或いはこれと対向する部分の制御基板挿入用凹部のいずれかに前記基板保持部をガラス扉のガラス板内面側に附勢して当該基板保持部に保持した操作基板ユニットの静電スイッチをガラス扉のガラス板内面に圧接させる構成としてある。
【００２６】
これにより、操作基板ユニットに設けた静電スイッチの感度を向上させ、良好な操作性を確保することができる。
【００２７】
第３の発明は、第１または第２の発明において、前記基板ホルダーの先端部にはその側面部にホルダー側傾斜部を設けるとともに制御基板挿入用凹部にもこれと対応する凹部側傾斜部を設けた構成としてある。
【００２８】
これにより、前記基板ホルダーは制御基板挿入用凹部に挿入していくとその先端部に設けたホルダー傾斜部が凹部側傾斜部に案内されて所定の位置に位置決めされていくので、所定の位置に正しく設置することができるとともに、位置合わせに気を使う必要がなくなって組立性も向上する。
【００２９】
第４の発明は第１〜第３の発明において、前記基板ホルダーの先端とは反対側の操作基板ユニットの端部近傍或いはこれと対向する制御基板挿入用凹部の少なくともいずれか一方にも側方方向の位置決めを行う位置決め部を更に設けた構成としてある。
【００３０】
これにより、基板ホルダーは前記両傾斜部による位置決めに加えこの位置決め部によっても位置規制することができ、制御基板挿入用凹部の開口から奥まった位置に操作基板ユニットを設置する場合であっても正確に所定の位置に設置することができる。
【００３１】
第５の発明は、第４の発明において、前記位置決め部は基板ホルダーの操作基板ユニットを保持する基板保持部の端部付近に設けた附勢部を利用して形成した構成としてある。
【００３２】
これにより、操作基板ユニットをガラス面に圧接させる附勢部と側方方向の位置決めを行う位置決め部とを別々に設ける必要がなく、構成の簡素化を図ることができる。
【００３３】
第６の発明は、第１〜第５の発明において、前記制御基板挿入用凹部の開口はガラス扉の上端面に設け、この開口から制御基板挿入用凹部を垂設して操作基板ユニットを上下に配置した構成としてある。
【００３４】
これにより、制御基板挿入用凹部の開口をガラス扉の側面に設けた場合のような懸念、すなわち濡れ手でガラス扉に触れたとき扉側面に付着する水が開口から浸入するようなことを防止できるとともに、縦長となる冷蔵庫本体にマッチする上下配置の操作部とすることができ、意匠性の向上を図ることもできる。
【００３５】
以下、本発明の実施の形態について、図面を参照しながら説明する。なお、この実施の形態によって本発明が限定されるものではない。
【００３６】
（実施の形態１）
図１は本発明の実施の形態１における冷蔵庫の正面図、図２は同冷蔵庫の縦断面図、図３は同冷蔵庫の扉の分解斜視図、図４は同冷蔵庫の扉に設けた操作表示部の決裁斜視図、図５は同操作表示部の基板ホルダー着脱時の断面図、図６は同操作表示部の蓋板を外した状態の斜視図、図７は同操作表示部を示す図６のＡ−Ａ断面図、図８は同操作表示部の断面図、図９は同操作表示部の基板ホルダーを裏側から見た斜視図、図１０は同操作表示部の分解斜視図、図１１は同操作表示部の凹状ケースを示す断面図である。
【００３７】
図１、図２において、この冷蔵庫は、冷蔵庫本体１内に二つの貯蔵室２、３を有し、上部の貯蔵室２を冷蔵室、その下部の貯蔵室３を冷凍室としてある。
【００３８】
上記冷蔵庫本体１は、図２に示すように、前方に開口する金属製（例えば鉄板）の外箱４と、硬質樹脂製（例えばＡＢＳ製）の内箱５と、これら外箱４と内箱５との間に発泡充填した硬質ウレタン等の発泡断熱材６とからなる。また、冷蔵庫本体１の冷蔵室となる貯蔵室２（以下、冷蔵室２と称す）及び冷凍室となる貯蔵室３（以下、冷凍室３と称す）の前面は、冷蔵庫本体１と同様の構成によって断熱性を持たせた回転自在な扉７、８によって開閉自在となっている。そして、上記各扉７．８はその前面にガラス板を用いて構成してあり、この例では冷蔵室２側の扉７の略中央部分に上下縦長の操作表示部９が設けてある。なお、この操作表示部９の構成は後で詳述する。
【００３９】
また、前記冷蔵庫本体１の冷蔵室２背面には冷却室１０があり、冷気を生成する冷却器１０ａと、冷気を各室に供給する冷却ファン１１とが設けてある。また、上記冷蔵庫本体１の本体下面背部には圧縮機１２が設けてあり、コンデンサ（図示せず）と、放熱パイプ（図示せず）と、キャピラリーチューブ（図示せず）と、前記した冷却器１０ａとからな
る冷凍サイクルに冷媒を封入し、冷却運転を行うように構成してある。
【００４０】
なお、上記冷却室１０で生成した冷気はダクト１３、１４を介して冷蔵室２と冷凍室３に供給され、これら両室を冷却するようになっている。
【００４１】
次に上記操作表示部９の構成について図３〜図１１を用いて説明する。
【００４２】
上記操作表示部９は、図３、図４に示すように前記扉７に制御基板挿入用凹部１５を設け、この制御基板挿入用凹部１５内に樹脂製の基板ホルダー１６を挿入装着し、この基板ホルダー１６に操作基板ユニット１７を保持させて構成してある。以下、その構成を詳述する。
【００４３】
まず扉７は、図３に示すように、扉表面を構成するガラス板１８と扉外周端面を構成する縁枠板１９と扉内面を構成する内枠２０とを組み合わせ、これらの間に発泡断熱材６を充填して構成してある。そして、上記扉７のガラス板１８内面略中央部分に扉上端面から下向きに延びる制御基板挿入用凹部１５が形成してある。
【００４４】
上記制御基板挿入用凹部１５は、図１０に示すように、前面及び上端を開口した樹脂製且つ長細い凹状ケース２２によって形成してあり、扉７に充填した発泡断熱材６によって前記凹状ケース２２をガラス板１８内面に一体化して構成してある。
【００４５】
また、前記制御基板挿入用凹部１５は、その凹状ケース２２の先端両側部に長手中心線方向に向かって傾斜形成した傾斜部２３と、後述する操作基板の上端付近と対向する部分に形成した山形状の隆起部２４ｂを有している。そして、この制御基板挿入用凹部１５は、図６に示すように上記凹状ケース２２上端の開口２５が前記扉７の上端外周面に設けた開口２６に臨む形で扉７の上端外周面に開口している。
【００４６】
一方、前記制御基板挿入用凹部１５内に挿入装着した基板ホルダー１６は、図１０に示すように、基板保持部２７とこの基板保持部２７の上端部に後ろ向きに傾斜する如く連設したホルダー取付け片部２８とで構成してあり、基板保持部２７には複数のスイッチ用開口２９、表示用開口３０等が設けてある。
【００４７】
上記基板ホルダー１６は、その先端両側部に前記凹状ケース２２の傾斜部２３と接するホルダー側傾斜部３１が形成してある。また、先端後面側には後ろ向きに屈曲して前記凹状ケース２２の内壁面に圧接しその反力で基板保持部２７の下端前面部を扉７のガラス板１８内面に圧着させる附勢部としての弾性片３２（図８参照）が一体形成してある。更に、前記基板保持部２７の上端部付近の両側部には前記凹状ケース２２の隆起部２４ｂに圧接してその反力で基板保持部２７の上端前面部を扉７のガラス板１８内面に圧着させる附勢部としての第二弾性片３３（図８参照）が一体形成してある。そしてこの第二弾性片３３の左右両側面は若干外側向きに傾斜する如く形成してあり、その傾斜最外方部分が位置決め部となって凹状ケース２２の凹状部両内壁面に圧接するようになっている。
【００４８】
また、前記基板ホルダー１６は既述したようにそのホルダー取付け片部２８の端部を図６で示しているように前記凹状ケース２２の上端の開口２５に臨ませ、その端部に設けた取付け片３４を前記凹状ケース２２の開口２５縁部にビス３５止め固定してある。このビス３５止め固定部は前記凹状ケース２２の上端開口２５が臨んでいる扉７の上端外周面に設けた開口２６に面しており、当該開口２６が開口した扉外周端面に位置した形となっている。また、上記開口２６には扉外周端面と同一面となるように蓋板３６が装着してある。なお、前記扉７の開口２６には水侵入防止用のリブ２６ａが形成してある。
【００４９】
一方、前記基板ホルダー１６の基板保持部２７に保持させた操作基板ユニット１７は、図４に示すように静電スイッチ３７を具備しており、この静電スイッチ３７からの信号はスイッチの一部を構成する金属製の導電部３８を介して操作基板ユニット上の制御部に伝えられるようになっている。なお、上記静電スイッチ３７は基板ホルダー１６に設けたスイッチ用開口２９部分設けられていてでガラス板１８の内面に接するようになっている。また、この例では基板ホルダー１６に更にＬＥＤ等の表示部３９（図１０参照）が設けてあり、この表示部３９は基板ホルダー１６に設けた表示用開口３０に対向している。
【００５０】
上記構成において、次にその作用効果について説明する。
【００５１】
この冷蔵庫の操作表示部９は、操作基板ユニット１７を保持する基板ホルダー１６にホルダー取付け片部２８を一体に連設してあるから、操作基板ユニット１７を扉７の外周端面、この例の場合は上端面から遠く離れた扉上下略中央部分に設置ことができる。すなわち、上記基板ホルダー１６を用いれば、ホルダー取付け片部２８を設けた分だけ操作基板ユニット１７の設置位置を扉外周端面から離れた部分とすることができる。よって、操作基板ユニット１７に設けた静電スイッチ３７や表示部３９等で構成される操作表示部９を任意の位置に設置することができ、設計の自由度が向上する。
【００５２】
また、上記操作表示部９の操作基板ユニット１７を保持する基板ホルダー１６は、そのホルダー取付け片部２８の端を持って制御基板挿入用凹部１５内に出し入れすることができ、しかもホルダー取付け片部２８は基板保持部２７に対し傾斜しているから、基板ホルダー１６の制御基板挿入用凹部１５への出し入れ操作が容易なものとなる。
【００５３】
すなわち、基板ホルダー１６にホルダー取付け片部２８が無いと、ホルダー端部を指で持つとき指が操作基板ユニット１７に触れないようにしなければならないため持ちにくくなり、また上記ホルダー取付け片部２８が基板保持部２７と面一の直線状になっていると、ホルダー取付け片部２８も基板保持部２７と同様ガラス板１８の内面に接するような形で制御基板挿入用凹部１５内に出し入れしなくてはならなくなって、ホルダー取付け片部２８の端を持つ指がガラス板１８内面に接し着脱しにくくなる。
【００５４】
しかしながら、本実施の形態のように基板ホルダー１６にホルダー取付け片部２８を設けておけば、操作基板ユニット１７に指が触れないよう気を使うことなくホルダー取付け片部２８を持って楽に出し入れできる。しかも上記ホルダー取付け片部２８は基板保持部２７に対し傾斜させて設けているので、ガラス板１８内面との間に傾斜分だけの隙間が確保され、ホルダー取付け片部２８を持つ指がガラス板１８の内面に触れガラス板１８の内面が邪魔になるようなことがなく、容易に基板ホルダー１６の出し入れができるのである。
【００５５】
更に、上記基板ホルダー１６はホルダー取付け片部２８を設けて長くしたことによりその端部を扉７の上端面に設けた開口２６縁の端面でビス止め等によって取り付け固定することができる。したがって、制御基板挿入用凹部１５内まで押し込んで取り付け固定するものに比べその作業性は格段に向上し、基板ホルダー１６の着脱、換言すると、基板ホルダー１６に保持した操作基板ユニット１７の着脱が容易なものとなって操作基板ユニット１７のメンテナンス性が向上する。
【００５６】
しかも、上記基板ホルダー１６の基板保持部２７はホルダー取付け片部２８の端部に延設してあるので、基板保持部２７に保持する操作基板ユニット１７は扉外周端面からホルダー取付け片部２８の寸法分だけ離れたところに位置させることができる。したがって、操作基板ユニット１７に設けた静電スイッチ３７等はホルダー取付け片部２８の長さを変えることによって扉７の任意の位置に設けることができ、操作部設置設計の自由度が向上
する。
【００５７】
一方、前記基板ホルダー１６は基板保持部２７の下端部に設けた弾性片３２が凹状ケース２２の隆起部２４ａに圧接し、更に第二弾性片３３が凹状ケース２２の隆起部２４ｂに圧接してその反力でガラス板１８内面に圧着している。したがって、この基板保持部２７に保持した操作基板ユニット１７の静電スイッチ３７は、スイッチ用開口２９部分でガラス板１８の内面に確実に圧着することになる。よって、ガラス板１８の表面をタッチしたときの静電スイッチ３７の感度が向上し、操作性が向上する。
【００５８】
また上記基板ホルダー１６はその先端両側部に設けたホルダー側傾斜部３１が制御基板挿入用凹部１５を形成する凹状ケース２２に設けた傾斜部２３に嵌合するので、この嵌合によって左右方向の位置決めが行われる。したがって、所定の位置に正しく設置することができ、ガラス板１８表面に形成したスイッチ印表記と位置ずれするようなことを防止できる。しかもスイッチ印表記に位置合わせするような手間をかける必要がなくなって組立性も向上する。
【００５９】
さらに、この基板ホルダー１６は基板保持部２７の上端部近傍に設けた第二弾性片３３の両側端が外向きに傾斜していてその一部が位置決め部となって凹状ケース２２の凹部内壁面に当接しているから、この部分でも左右方向の位置決めが行われる。したがって、基板ホルダー１６の基板保持部２７は、前記両傾斜部２３、３１による位置決めに加え、この第二弾性片３３の傾斜による位置決めも加わって正確に位置決め固定され、制御基板挿入用凹部１５の開口２５から奥まったところに操作基板ユニット１７を設置する場合であってもこれを正確に所定の位置に設置することができる。
【００６０】
しかもこの実施の形態では上記操作基板ユニット１７上端部近傍の左右方向位置決めは、基板ホルダー１６をガラス板１８内面に圧接させる第二弾性片３３を利用して行っているため、基板ホルダー１６をガラス板内面に圧接させる部分と左右方向の位置決めを行う位置決め部分とを別々に設ける必要がなく、構成の簡素化を図ることができる。
【００６１】
また、この実施の形態の冷蔵庫では、前記制御基板挿入用凹部１５の開口２５を扉７の上端面に設け、この開口２５から制御基板挿入用凹部１５を垂設して操作基板ユニット１７を上下方向に配置した構成としてあるから、制御基板挿入用凹部１５の開口２５を扉７の側面に設ける場合のような懸念、すなわち濡れ手で扉７側面に触れたとき扉側面に付着した水が開口から浸入するようなことを防止できる。しかも、縦長となる冷蔵庫本体１にマッチした上下配置の操作表示部９とすることができ、意匠性を向上させることもできる。
【００６２】
以上、本発明に係る冷蔵庫について、上記実施の形態を用いて説明してきたが、本発明は、これに限定されるものではなく、本発明の目的を達成する範囲内で種々変更可能であることは言うまでもない。
【００６３】
例えば、上記実施の形態では操作基板ユニット１７に静電スイッチ３７とともに表示部３９をも設けた操作表示部９とした例で説明したが、これは静電スイッチ３７等の操作部のみであってもよいものである。
【００６４】
また、上記操作表示部９は扉７の上端面から下方に垂設した場合で説明したが、扉７の側面から横方向に設けてもよく、また観音開き式扉であれば幅の広い側の扉の突合せ端面に沿って上下方向に設けてもよく、いずれの場合であっても扉上下左右いずれかの外周端面に開口を設けこの開口から基板ホルダー１６を着脱できるようにしておけばよいものである。
【００６５】
さらに、上記基板ホルダー１６に設けたホルダー取付け片部２８は基板保持部２７に対し傾斜させて設けたが、これは基板保持部２７に対し段差を設けるなどして設けてガラス板１８内面との間に隙間を形成するようにしてもよいものである。
【００６６】
また、操作表示部９の操作基板ユニット１７を保持する基板ホルダー１６をガラス板１８内面に圧接させる附勢部となる弾性片３２及び第二弾性片３３は、ともに基板ホルダー１６側に設けたが、これはいずれか一方、もしくは両方とも制御基板挿入用凹部１５を形成する凹状ケース２２側に設けてもよいものである。
【００６７】
更にまた、前記基板ホルダー１６における基板保持部２７上端部近傍の左右方向位置決めも、この実施の形態では基板ホルダー１６をガラス板１８内面に圧接させる第二弾性片３３を利用して構成したが、これは第二弾性片３３とは別に設けてもよいものである。
【００６８】
以上のように、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【００６９】
以上のように本発明は、操作基板ユニットの着脱が容易に行え、しかも操作部を扉の任意位置に設置できる冷蔵庫を提供することができ、一般用はもちろん業務用の冷蔵庫にも幅広く適用できる。
【符号の説明】
【００７０】
１  冷蔵庫本体
２  冷蔵室（貯蔵室）
３  冷凍室（貯蔵室）
６  発泡断熱材
７、８  扉
９  操作表示部
１５  制御基板挿入用凹部
１６  基板ホルダー
１７  操作基板ユニット
１８  ガラス板
２２  凹状ケース
２３  傾斜部
２４ｂ  隆起部
２５、２６  開口
２７  基板保持部
２８  ホルダー取付け片部
３１  ホルダー側傾斜部
３２  弾性片（附勢部）
３３  第二弾性片（附勢部、位置決め部）
３６  蓋板
３７  静電スイッチ
３９  表示部
【図１】
2016166694.tif 000003
【図２】
2016166694.tif 000004
【図３】
2016166694.tif 000005
【図４】
2016166694.tif 000006
【図５】
2016166694.tif 000007
【図６】
2016166694.tif 000008
【図７】
2016166694.tif 000009
【図８】
2016166694.tif 000010
【図９】
2016166694.tif 000011
【図１０】
2016166694.tif 000012
【図１１】
2016166694.tif 000013
【図１２】
2016166694.tif 000014
【図１３】
2016166694.tif 000015